【手続補正書】
【提出日】平成17年10月18日(2005.10.18)
【手続補正１】
【補正対象書類名】明細書
【補正対象項目名】請求項１
【補正方法】変更
【補正の内容】
【請求項１】  ガソリンスタンド施設に設けられた路側装置と車両に搭載された車載装置との間で狭域無線通信（ＤＳＲＣ：Ｄｅｄｉｃａｔｅｄ  Ｓｈｏｒｔ  Ｒａｎｇｅ  Ｃｏｍｍｕｎｉｃａｔｉｏｎ）を使用した料金自動決済システムにおいて、ガソリン給油器に設置され、赤外線通信により操作可能な情報表示盤と、前記車載装置からの認証情報と決済情報を一時保存する路車間認証情報一時保存部と、前記情報表示盤に入力された情報と路車間認証情報一時保存部に記憶された情報に基づいて決済処理を行う路側情報処理部とを備える料金自動決済システム。
【手続補正２】
【補正対象書類名】明細書
【補正対象項目名】０００６
【補正方法】変更
【補正の内容】
【０００６】
【課題を解決するための手段】
この発明に係る料金自動決済システムは、ガソリン給油器に設置され、赤外線通信により操作可能な情報表示盤と、前記車載装置からの認証情報と決済情報を一時保存する路車間認証情報一時保存部と、前記情報表示盤に入力された情報と路車間認証情報一時保存部に記憶された情報に基づいて決済処理を行う路側情報処理部とを備えるものである。
【手続補正３】
【補正対象書類名】明細書
【補正対象項目名】０００７
【補正方法】変更
【補正の内容】
【０００７】
【発明の実施の形態】
実施の形態１．
図１は、この発明の実施の形態１を示すブロック図である。また、図２は各装置、機器の配置関係の概要を示す図である。図１、図２により説明をする。ガソリンスタンドには、給油するため進入してきた車両が停車する位置の前方にもうけられた路側アンテナ１と、路側アンテナ１で受信された情報を基に給油注文処理や料金計算及び決済処理を行う路側情報処理部２と、路側情報処理部２の処理結果を広域網を介してドライバーが加入している決済機関（図示せず）との間で通信を行うとともに、給油装置８からの有線通信による給油量通知を受信し路側情報処理部２へ出力する通信制御部３に接続されている。また、路側情報処理部２には、ガソリンスタンド店員に注文内容、給油状況、売上情報を表示する操作表示部４、車載装置１５から送信された路車間認証情報を一時的に保存する路車間認証情報一時保存部５、路側情報処理部２から指示された注文情報等をドライバーに対して表示するとともに赤外線によるリモコン操作が可能なように車両前方に配置されたユーザ情報表示盤６が接続されている。なお、路側情報処理部２と通信制御部３、路車間認証情報一時保存部５とで路側情報処理装置１８を構成し、ガソリンスタンド施設内に設置されている。車載装置１５は、路側アンテナ１との間でＤＳＲＣ無線通信を行い、データを相互に交換する車載アンテナ９と個人情報や、相互認証情報、履歴等が電子的に書き込まれたＩＣカードを含む車載ＩＣカード部１０であり、車載情報処理部１１は、車載ＩＣカード部１０の挿入されたＩＣカードの個人情報や料金決済情報等を読み込み、この情報を元に車載アンテナ９を介して路側装置７との情報のやり取りを行う。電源部１２は、車載装置の各部への電源の供給を行う。カーナビゲーションシステム１６は、ドライバーへの地図情報等を提供するとともに、車載情報処理部１１を介して路側装置７との間で注文行為を行ったり、受信した料金情報を表示したりするシステムで赤外線リモコン１７により操作される。
【手続補正４】
【補正対象書類名】明細書
【補正対象項目名】０００８
【補正方法】変更
【補正の内容】
【０００８】
次に動作について、図３のフローチャートに従って説明する。車載装置１５を搭載した車両が既存給油装置８の脇へ進入することで車載アンテナ９と対向する路側アンテナ１を介して通信処理が開始（ステップＳＴ１）される。路側装置７は車載装置１５とＤＳＲＣで通信を行い、車載ＩＣカード部１０から個人情報及び相互認証情報を得る。また、路側の相互認証情報を車載情報処理部１１へ送る。この互いにやりとりした情報を元に路側装置７が車載装置１５を認証するユーザ認証動作（ステップＳＴ２）、及び車載装置１５が路側装置７を認証する路側機認証動作（ステップＳＴ３）を行い、双方が認証できてはじめて相互認証完了となる。
つぎに、認証動作が正常終了かどうかを判断し（ステップＳＴ４）、正常であれば、路側装置７は車載装置１５経由で車載ＩＣカードよりカードの決済機関情報、有効期限や、利用限度額等のカード情報を取得する（ステップＳＴ５）。そして再接続後の決済処理をすばやく行うために路車間認証、及びカード情報を一定時間保持しておく路車間認証情報一時保存部５へ記憶する（ステップＳＴ６）。その後、注文メニューを車両前方に設置されている赤外線リモコン可能なユーザ情報表示盤６に表示し（ステップＳＴ７）、ドライバーはカーナビゲーションシステム用の赤外線リモコンにてユーザ情報表示盤を操作し、給油種や給油量などの注文内容を入力し決定する（ステップＳＴ８）。
【手続補正５】
【補正対象書類名】明細書
【補正対象項目名】００１２
【補正方法】変更
【補正の内容】
【００１２】
次に動作について図５のフローチャートに従って説明する。ステップＳＴ１からステップＳＴ１４及びステップＳＴ１６までの動作は実施の形態１で説明した装置と同一の動作である。電源を切られた場合でも車載器は充電されたバッテリで動作するが、カーナビゲーションシステム１６はその限りでないため、路車間通信が接続されているかどうかのチェックをし（ステップＳＴ２３）、路車間通信が接続されていれば、路側装置７は続けて車載装置１５経由でカーナビゲーションシステム１６に課金結果をダウンリンク送信し（ステップＳＴ１７）、カーナビゲーションシステム１６はその情報をドライバ−に表示する（ステップＳＴ１８）。ステップＳＴ２３で、路車間が接続されていない場合はそのまま処理終了となる。ステップＳＴ４の相互認証終了時に認証ＮＧであった場合には、操作表示部４にて店員が注文情報を入力し（ステップＳＴ１９）、給油を開始する（ステップＳＴ２０）。給油が完了したら（ステップＳＴ２１）、店員が従来通りのやり方で決済処理を行う（ステップＳＴ２２）。
また、ステップＳＴ１３で支払い不可であった場合も店員による従来通りの決済処理となる。
【手続補正６】
【補正対象書類名】明細書
【補正対象項目名】００１４
【補正方法】変更
【補正の内容】
【００１４】
【発明の効果】
以上のように、この発明によれば、路側装置が車載装置との間で相互に認証した路車間の認証情報を一時的に保持する路車間認証情報一時保存部とユーザの注文情報を赤外線入力により入力し内容を表示するユーザ情報表示盤を備え、路車間認証情報一時保存部に保存された情報とユーザ情報表示盤に入力された情報に基づいて路側情報処理部で料金決済するように構成したので、注文行為をリモコンとこの表示盤で行うことで、車両がアンテナ下に進入してきた際に路車間の相互認証さえ行ってしまえば車載装置及びカーナビゲーションの電源が切れていても決済処理が行えるという効果がある。
【手続補正７】
【補正対象書類名】明細書
【補正対象項目名】符号の説明
【補正方法】変更
【補正の内容】
【符号の説明】
１  路側アンテナ、２  路側情報処理部、３  通信制御部、４  操作表示部、５  路車間認証情報一時保存部、６  ユーザ情報表示盤、７  路側装置、８  給油装置、９  車載アンテナ、１０  車載ＩＣカード部、１１  車載情報処理部、１２  電源部、１３  バッテリ、１４  充電手段、１５  車載装置、１６  カーナビゲーションシステム、１７  カーナビ用赤外線リモコン、１８  路側情報処理装置。
【手続補正８】
【補正対象書類名】明細書
【補正対象項目名】図３
【補正方法】変更
【補正の内容】
【図３】
2004284657.tif 000001
【手続補正９】
【補正対象書類名】明細書
【補正対象項目名】図５
【補正方法】変更
【補正の内容】
【図５】
2004284657.tif 000002